(57)【要約】【課題】長期的且つ効果的に除菌することができるつり革、除菌装置、及び除菌装置の取り付け方法を提供する。【解決手段】本実施の形態に係るつり革１は、環状の持ち手１１と、該持ち手１１が周方向に回転可能なように前記持ち手１１を支持している支持部材（ストラップ１２）と、前記持ち手１１が周方向に回転可能なように前記持ち手１１の前記周方向の一部を覆う遮光性のカバー４と、該カバー４の内部にて、前記持ち手１１の前記カバー４に覆われている部分に向けて、前記持ち手１１を除菌する紫外線を照射する発光素子（ＬＥＤ３１）とを備えることを特徴とする。【選択図】図１
2020045027.tif 000002
【特許請求の範囲】
【請求項１】
環状の持ち手と、
該持ち手が周方向に回転可能なように前記持ち手を支持している支持部材と、
前記持ち手が周方向に回転可能なように前記持ち手の前記周方向の一部を覆う遮光性のカバーと、
該カバーの内部にて、前記持ち手の前記カバーに覆われている部分に向けて、前記持ち手を除菌する紫外線を照射する発光素子と
を備えることを特徴とするつり革。
【請求項２】
前記支持部材は無端状をなすストラップであり、保持具から垂下し、前記支持部材の下端部が前記持ち手の上部に巻き掛けられており、
前記カバーは、前記持ち手の前記上部及び前記支持部材の前記下端部を覆い、
前記発光素子は前記持ち手の前記上部に向けて前記紫外線を照射することを特徴とする請求項１に記載のつり革。
【請求項３】
環状の持ち手と、
該持ち手が周方向に回転可能なようにして、前記持ち手を支持している支持部を有し、前記持ち手の前記周方向の一部を覆う遮光性のカバーと、
該カバーを支持している支持部材と、
前記カバーの内部にて、前記持ち手の前記カバーに覆われている部分に向けて、前記持ち手を除菌する紫外線を照射する発光素子と
を備えることを特徴とするつり革。
【請求項４】
前記支持部材は無端状をなすストラップであり、保持具から垂下し、前記支持部材の下端部が前記カバーの上部に固定されており、
前記支持部は、前記カバーの内部にて前記カバーに回転可能に支持されたローラであり、
前記持ち手は、前記支持部から垂れ下がるようにして前記支持部に巻き掛けられたベルトであり、
前記カバーは、前記持ち手の上部を覆い、
前記発光素子は前記持ち手の前記上部に向けて前記紫外線を照射することを特徴とする請求項３に記載のつり革。
【請求項５】
前記発光素子は、周期的に所定時間発光することを特徴とする請求項１から４の何れか一項に記載のつり革。
【請求項６】
前記持ち手が回転したか否かを検出する回転検出部と、
該回転検出部の検出結果が、前記持ち手が回転したことを示す場合に、前記発光素子を点灯させ、所定時間が経過した場合に前記発光素子を消灯させる制御部と
を更に備えることを特徴とする請求項１から４の何れか一項に記載のつり革。
【請求項７】
前記持ち手を回転させる駆動ローラと、
該駆動ローラを回転駆動するモータと、
前記持ち手が所定量回転するよう前記モータを制御する回転制御部と、
前記持ち手が所定量回転した場合に前記発光素子を点灯させ、所定時間が経過した場合に前記発光素子を消灯させる素子制御部と、
を備えることを特徴とする請求項１から４の何れか一項に記載のつり革。
【請求項８】
前記持ち手の除菌状況を報知する報知部を更に備えることを特徴とする請求項１から７の何れか一項に記載のつり革。
【請求項９】
前記カバーの外面に、広告を掲示するための掲示部が設けられていることを特徴とする請求項１から８の何れか一項に記載のつり革。
【請求項１０】
前記カバーの外面に、映像を表示する表示部が設けられていることを特徴とする請求項１から９の何れか一項に記載のつり革。
【請求項１１】
前記カバーは所定のキャラクターの形状を有することを特徴とする請求項１から１０の何れか一項に記載のつり革。
【請求項１２】
環状の持ち手と、該持ち手が周方向に回転可能なように前記持ち手を支持している支持部材とを備えるつり革の前記持ち手が周方向に回転可能なように前記持ち手の前記周方向の一部を覆う遮光性のカバーと、
該カバーの内部にて、前記持ち手の前記カバーに覆われている部分に向けて紫外線を照射する発光素子と
を備えることを特徴とする除菌装置。
【請求項１３】
前記カバーは、前記持ち手を非接触状態で挟み、且つ前記支持部材を挟むようにして一体化される２つのカバー部材を備えることを特徴とする請求項１２に記載の除菌装置。
【請求項１４】
環状の持ち手と、
該持ち手が周方向に回転可能なように前記持ち手を支持している支持部材と
を備えるつり革に、前記持ち手を除菌する除菌装置を取り付ける方法であって、
前記除菌装置は、
遮光性のカバーと、
該カバーの内部にて紫外線を発する発光素子と
を備え、
前記持ち手が周方向に回転可能なように前記持ち手の前記周方向の一部を覆い、該一部に前記紫外線が照射されるようにして、前記カバーを前記支持部材に取り付けることを特徴とする除菌装置の取り付け方法。
【請求項１５】
前記カバーは２つのカバー部材を備え、
前記カバーを前記支持部材に取り付ける場合、前記２つのカバー部材で前記持ち手を非接触状態で挟み、且つ前記支持部材を挟むようにして、前記２つのカバー部材を一体化させることを特徴とする請求項１４に記載の除菌装置の取り付け方法。
【発明の詳細な説明】
【技術分野】
【０００１】
本発明は、つり革、除菌装置、及び除菌装置の取り付け方法に関する。
【背景技術】
【０００２】
列車、又はバス等の乗客は、車内で体を支えるために、つり革を利用することがある。つり革は、車内に設けられた保持パイプ（保持具）から垂下するストラップと、ストラップによって吊り下げられる持ち手とを備える。乗客は持ち手を把持する。
つり革は不特定多数の乗客に使用される。つり革の持ち手を除菌することによって、各種の病原菌、ウイルスによる感染リスクの低減を図ることができる。
【０００３】
特許文献１には、つり革の輪の衛生具が記載されている。つり革の輪の衛生具は、消毒剤を担持する第１の部材と、第１の部材を包容する第２の部材とを備える。第２の部材は、第１の部材がつり革の輪（持ち手）を囲繞し、且つ、つり革の輪が回転可能であるように、つり革ベルト（ストラップ）に掛止している。乗客は、つり革の輪を把持する際に、つり革の輪を回転させる。つり革の輪の回転に伴い、つり革の輪が消毒剤によって消毒される。
【先行技術文献】
【特許文献】
【０００４】
【特許文献１】実開平６−１２１７５号公報
【発明の概要】
【発明が解決しようとする課題】
【０００５】
特許文献１に記載されているつり革の輪の衛生具の場合、消毒剤による除菌効果を維持するためには、消毒剤の追加又は第１の部材の交換等、頻繁な保守管理が不可欠である。
しかも、一般的な消毒剤（アルコール、次亜塩素酸ナトリウム等）による除菌効果は限定的である。
【０００６】
本発明は斯かる事情に鑑みてなされたものであり、その主たる目的は、長期的且つ効果的に除菌することができるつり革、除菌装置、及び除菌装置の取り付け方法を提供することにある。
【課題を解決するための手段】
【０００７】
本実施の形態に係るつり革は、環状の持ち手と、該持ち手が周方向に回転可能なように前記持ち手を支持している支持部材と、前記持ち手が周方向に回転可能なように前記持ち手の前記周方向の一部を覆う遮光性のカバーと、該カバーの内部にて、前記持ち手の前記カバーに覆われている部分に向けて、前記持ち手を除菌する紫外線を照射する発光素子とを備えることを特徴とする。
【０００８】
本実施の形態に係るつり革は、前記支持部材は無端状をなすストラップであり、保持具から垂下し、前記支持部材の下端部が前記持ち手の上部に巻き掛けられており、前記カバーは、前記持ち手の前記上部及び前記支持部材の前記下端部を覆い、前記発光素子は前記持ち手の前記上部に向けて前記紫外線を照射することを特徴とする。
【０００９】
本実施の形態に係るつり革は、環状の持ち手と、該持ち手が周方向に回転可能なようにして、前記持ち手を支持している支持部を有し、前記持ち手の前記周方向の一部を覆う遮光性のカバーと、該カバーを支持している支持部材と、前記カバーの内部にて、前記持ち手の前記カバーに覆われている部分に向けて、前記持ち手を除菌する紫外線を照射する発光素子とを備えることを特徴とする。
【００１０】
本実施の形態に係るつり革は、前記支持部材は無端状をなすストラップであり、保持具から垂下し、前記支持部材の下端部が前記カバーの上部に固定されており、前記支持部は、前記カバーの内部にて前記カバーに回転可能に支持されたローラであり、前記持ち手は、前記支持部から垂れ下がるようにして前記支持部に巻き掛けられたベルトであり、前記カバーは、前記持ち手の上部を覆い、前記発光素子は前記持ち手の前記上部に向けて前記紫外線を照射する。
【００１１】
本実施の形態にあっては、持ち手が支持部材に支持されており、周方向に回転可能である。持ち手の周方向の一部はカバーに覆われている。
あるいは、本実施の形態にあっては、持ち手が支持部に支持されており、周方向に回転可能である。持ち手の周方向の一部は、支持部を有するカバーに覆われている。カバーは支持部材に支持されている。
【００１２】
カバーの内部にて、持ち手のカバーに覆われている部分に向けて紫外線が照射される。使用者は、持ち手のカバーに覆われていない部分を把持する。
紫外線（特に、２８０ｎｍ以下の短波長を有する紫外線Ｃ波）は、あらゆる種類の病原菌、ウイルスを短時間で有効に死滅させることができる。故に、持ち手のカバーに覆われている部分を効果的に除菌することができる。
発光素子が発する紫外線を用いて除菌が行なわれるので、保守管理を頻繁に行なう必要がなく、長期的に除菌効果を維持することができる。
【００１３】
使用者は、例えば持ち手を把持する前に、持ち手を回転させる。持ち手の回転に伴い、持ち手のカバーに覆われていない部分がカバーの内部に移動してカバーに覆われ、持ち手のカバーに覆われている部分（即ち持ち手の除菌された部分）がカバーの外部に移動してカバーから露出する。故に、使用者は持ち手の除菌された部分を把持することができる。
カバーは遮光性を有するので、紫外線がカバーの外部へ漏れることを抑制することができる。
【００１４】
本実施の形態にあっては、支持部材（ストラップ）が持ち手の上部に巻き掛けられている。カバーは持ち手の上部及び支持部材の下端部を覆っている。
あるいは、本実施の形態にあっては、持ち手（ベルト）が支持部（ローラ）に巻き掛けられている。カバーは持ち手の上部を覆っており、支持部材（ストラップ）の下端部に固定されている。
【００１５】
使用者は持ち手の下部を把持する。使用者の手は、持ち手の下部に接触する。
持ち手の回転に伴い、持ち手の上部がカバーから露出して持ち手の下部となり、持ち手の下部がカバーに覆われて持ち手の上部となる。発光素子は、持ち手の上部に向けて紫外線を照射するので、持ち手の、使用者の手に接触する部分を効果的に除菌することができる。
【００１６】
本実施の形態に係るつり革は、前記発光素子は、周期的に所定時間発光することを特徴とする。
【００１７】
本実施の形態にあっては、発光素子が定期的に点消灯される。紫外線が長時間照射されないので、紫外線による持ち手の劣化を抑制することができる。
【００１８】
本実施の形態に係るつり革は、前記持ち手が回転したか否かを検出する回転検出部と、該回転検出部の検出結果が、前記持ち手が回転したことを示す場合に、前記発光素子を点灯させ、所定時間が経過した場合に前記発光素子を消灯させる制御部とを更に備えることを特徴とする。
【００１９】
本実施の形態にあっては、持ち手が回転した場合に発光素子が点灯される。即ち、持ち手のカバーに覆われていない部分がカバーに覆われた場合に、持ち手の除菌を開始することができる。
発光素子の点灯後、所定時間が経過した場合に発光素子が消灯されるので、持ち手が紫外線に長時間曝される虞がない。
【００２０】
本実施の形態に係るつり革は、前記持ち手を回転させる駆動ローラと、該駆動ローラを回転駆動するモータと、前記持ち手が所定量回転するよう前記モータを制御する回転制御部と、前記持ち手が所定量回転した場合に前記発光素子を点灯させ、所定時間が経過した場合に前記発光素子を消灯させる素子制御部と、を備えることを特徴とする。
【００２１】
本実施の形態にあっては、持ち手がモータに駆動されて自動的に回転する。故に、使用者が持ち手を回転させる必要がないので、使用者の利便性を向上させることができる。
持ち手が所定量回転した場合に発光素子が点灯される。即ち、持ち手のカバーに覆われていない部分の所定範囲がカバーに覆われた場合に、持ち手の除菌を開始することができる。
発光素子の点灯後、所定時間が経過した場合に発光素子が消灯されるので、持ち手が紫外線に長時間曝される虞がない。
【００２２】
本実施の形態に係るつり革は、前記持ち手の除菌状況を報知する報知部を更に備えることを特徴とする。
【００２３】
本実施の形態にあっては、持ち手の除菌状況が報知される。故に、使用者は、例えば持ち手が除菌済みであるつり革を選んで使用することができる。
【００２４】
本実施の形態に係るつり革は、前記カバーの外面に、広告を掲示するための掲示部が設けられていることを特徴とする。
【００２５】
本実施の形態にあっては、カバーの外面に設けられた表示部に、例えば持ち手の除菌状況を示す映像が表示される。この場合、使用者は、例えば持ち手が除菌済みであるつり革を選んで使用することができる。
又は、表示部に、例えば商品又は興業等の広告のための映像が表示される。この場合、つり革をデジタルサイネージとして利用することができる。
【００２６】
本実施の形態に係るつり革は、前記カバーの外面に、映像を表示する表示部が設けられていることを特徴とする。
【００２７】
本実施の形態にあっては、カバーの外面に設けられた掲示部を利用して、商品又は興業等の広告を行なうことができる。
【００２８】
本実施の形態に係るつり革は、前記カバーは所定のキャラクターの形状を有することを特徴とする。
【００２９】
本実施の形態にあっては、カバーが所定のキャラクターの形状を有するので、つり革の意匠性を向上させることができる。
【００３０】
本実施の形態に係る除菌装置は、環状の持ち手と、該持ち手が周方向に回転可能なように前記持ち手を支持している支持部材とを備えるつり革の前記持ち手が周方向に回転可能なように前記持ち手の前記周方向の一部を覆う遮光性のカバーと、該カバーの内部にて、前記持ち手の前記カバーに覆われている部分に向けて紫外線を照射する発光素子とを備えることを特徴とする。
【００３１】
本実施の形態にあっては、持ち手が支持部材に支持されており、周方向に回転可能である。
持ち手の周方向の一部はカバーに覆われる。
【００３２】
カバーの内部にて、持ち手のカバーに覆われている部分に向けて紫外線が照射される。使用者は、持ち手のカバーに覆われていない部分を把持する。
紫外線（特に、２８０ｎｍ以下の短波長を有する紫外線Ｃ波）は、あらゆる種類の病原菌、ウイルスを短時間で有効に死滅させることができる。故に、持ち手のカバーに覆われている部分を効果的に除菌することができる。
発光素子が発する紫外線を用いて除菌が行なわれるので、保守管理を頻繁に行なう必要がなく、長期的に除菌効果を維持することができる。
【００３３】
使用者は、例えば持ち手を把持する前に、持ち手を回転させる。持ち手の回転に伴い、持ち手のカバーに覆われていない部分がカバーの内部に移動してカバーに覆われ、持ち手のカバーに覆われている部分（即ち持ち手の除菌された部分）がカバーの外部に移動してカバーから露出する。故に、使用者は持ち手の除菌された部分を把持することができる。
カバーは遮光性を有するので、紫外線がカバーの外部へ漏れることを抑制することができる。
【００３４】
本実施の形態に係る除菌装置は、前記カバーは、前記持ち手を非接触状態で挟み、且つ前記支持部材を挟むようにして一体化される２つのカバー部材を備えることを特徴とする。
【００３５】
本実施の形態にあっては、２つのカバー部材が持ち手及び支持部材を挟むようにして一体化される。この結果、カバーの形成と支持部材へのカバーの取り付けとを同時的に、且つ容易に実現することができる。
【００３６】
本実施の形態に係る除菌装置の取り付け方法は、環状の持ち手と、該持ち手が周方向に回転可能なように前記持ち手を支持している支持部材とを備えるつり革に、前記持ち手を除菌する除菌装置を取り付ける方法であって、前記除菌装置は、遮光性のカバーと、該カバーの内部にて紫外線を発する発光素子とを備え、前記持ち手が周方向に回転可能なように前記持ち手の前記周方向の一部を覆い、該一部に前記紫外線が照射されるようにして、前記カバーを前記支持部材に取り付けることを特徴とする。
【００３７】
本実施の形態にあっては、例えば、従来のつり革に本実施の形態に係る除菌装置を取り付けることによって、本実施の形態に係るつり革を得ることができる。
【００３８】
本実施の形態に係る除菌装置の取り付け方法は、前記カバーは２つのカバー部材を備え、前記カバーを前記支持部材に取り付ける場合、前記２つのカバー部材で前記持ち手を非接触状態で挟み、且つ前記支持部材を挟むようにして、前記２つのカバー部材を一体化させることを特徴とする。
【００３９】
本実施の形態にあっては、つり革の支持部材に除菌装置のカバーを容易に取り付けることができる。
【発明の効果】
【００４０】
本実施の形態のつり革、除菌装置、及び除菌装置の取り付け方法によれば、長期的且つ効果的に除菌することができる。
【図面の簡単な説明】
【００４１】
【図１】実施の形態１に係るつり革を示す正面図である。
【図２】除菌装置を示す斜視図である。
【図３】カバー部材を示す斜視図である。
【図４】実施の形態２に係る除菌装置を示す斜視図である。
【図５】除菌装置の他の構成を示す斜視図である。
【図６】除菌装置の更に他の構成を示す斜視図である。
【図７】実施の形態３に係るつり革を示す斜視図である。
【図８】つり革を示す断面図である。
【図９】つり革の制御系の構成を示すブロック図である。
【図１０】つり革で実行される除菌処理の手順を示すフローチャートである。
【図１１】実施の形態４に係るつり革を示す断面図である。
【図１２】つり革の制御系の構成を示すブロック図である。
【図１３】つり革で実行される除菌処理の手順を示すフローチャートである。
【図１４】つり革で実行される回転処理の手順を示すフローチャートである。
【図１５】つり革で実行される回転処理の手順を示すフローチャートである。
【図１６】つり革の制御系の他の構成を示すブロック図である。
【発明を実施するための形態】
【００４２】
以下、本発明を、その実施の形態を示す図面に基づいて詳述する。
【００４３】
実施の形態  １．
図１は、実施の形態１に係るつり革を示す正面図である。
図中１はつり革であり、つり革１は、持ち手１１及びストラップ１２（支持部材）を備える。
持ち手１１は円環状をなす。
ストラップ１２は無端状の帯である。ストラップ１２は、持ち手１１と保持パイプ２１（保持具）とに巻き掛けられている。
【００４４】
保持パイプ２１は、車両（例えば列車又はバス）の内部に設けられている。保持パイプ２１は横方向（以下、左右方向という）に延びる。保持パイプ２１は、車両の天井から下向きに突設された図示しない支持体に支持されている。
【００４５】
ストラップ１２は、保持パイプ２１から垂れ下がる。ストラップ１２は、ストラップ１２の下端部にて、持ち手１１が周方向に回転可能なようにして持ち手１１を支持している。
ストラップ１２の上下方向の中央部において、ストラップ１２の前側の一部と後側の一部とが適宜の留め具１２１で互いに留められている。
【００４６】
保持パイプ２１の上部には門型部材２２が固定されている。門型部材２２は、ストラップ１２の保持パイプ２１に巻き掛けられている部分を左右方向に跨ぐ。門型部材２２は、ストラップ１２が左右方向に位置ずれすることを防止する。
【００４７】
車両の乗客は、自分の身体を支えるために、持ち手１１の下部を把持する。
持ち手１１を除菌するために、つり革１は除菌装置３を備える。
【００４８】
図２は、除菌装置３を示す斜視図である。
除菌装置３はカバー４を備える。
カバー４は、持ち手１１の上半分及びストラップ１２の下端部を覆っている。カバー４に覆われていても、持ち手１１は周方向に回転可能である。
カバー４は、前後方向に扁平な中空の半球状をなす。
【００４９】
図１に示すように、カバー４の底壁には、２つの挿通孔４１，４１が左右方向に並設されている。持ち手１１は遊びを有して挿通孔４１，４１に挿通されている。
カバー４の頂部には、ストラップ１２が貫通する貫通孔４２が設けられている。貫通孔４２の周縁部は、前後方向からストラップ１２を挟む。ストラップ１２の下端部は、持ち手１１に巻き掛けられているので、ストラップ１２の前側と後側とが貫通孔４２の前後方向の長さよりも長く広がっている。故に、ストラップ１２の下端部が貫通孔４２を通ってカバー４の上側へ抜け出すことはない。
【００５０】
カバー４の内面には２つの保持片４３，４３が設けられている。保持片４３，４３は、貫通孔４２の周縁部から下向きに突出している。保持片４３，４３夫々の一面同士は、左右方向に対向している。保持片４３，４３は、持ち手１１に接触しないようにして、左右方向からストラップ１２を挟む。各保持片４３には、持ち手１１が遊びを有して挿通される挿通孔４３１が設けられている。
【００５１】
カバー４の内面には、ブロック状の基体４４が設けられている。基体４４は、ストラップ１２の下端部よりも下側に配されている。基体４４の上面には、２つのＬＥＤ３１，３１が突設されている。
【００５２】
各ＬＥＤ３１は、紫外線（特に好ましくは紫外線Ｃ波）を発する発光素子である。ＬＥＤ３１，３１の一方の光軸は、ストラップ１２よりも左側、且つ持ち手１１の上半分の内周に向けられている。ＬＥＤ３１，３１の他方の光軸は、ストラップ１２よりも右側、且つ持ち手１１の上半分の内周に向けられている。この結果、ＬＥＤ３１，３１が発した紫外線は、持ち手１１の上半分の内周に直接的に照射される。
【００５３】
カバー４は遮光性を有する。故に、紫外線がカバー４の外部へ漏れることを抑制することができる。
カバー４の内面は、紫外線を反射する光反射性を有していることが望ましい。ＬＥＤ３１，３１が発した紫外線の一部はカバー４の内面にて反射し、持ち手１１の外周に照射される。
持ち手１１の表面及びストラップ１２の表面には、持ち手１１及びストラップ１２を紫外線から保護するための保護層が形成されていることが望ましい。なお、持ち手１１及びストラップ１２が、紫外線に対する耐性に優れた材料で形成されていてもよい。
【００５４】
ＬＥＤ３１，３１は、給電線３１１を通して給電される。給電線３１１は、ストラップ１２の内側を通って門型部材２２まで引き出されている。
門型部材２２の上面には、つり革１の制御装置３２が載置されている。制御装置３２には、ＬＥＤ３１，３１を駆動するＬＥＤドライバ、及びＬＥＤドライバを介してＬＥＤ３１，３１の点消灯を制御する制御部（各不図示）が備えられている。門型部材２２まで引き出された給電線３１１は、制御装置３２のＬＥＤドライバに接続されている。
車両に備えられている図示しない車載電源から制御装置３２への給電線は、保持パイプ２１の内部、又は保持パイプ２１の周面に配される。
【００５５】
制御装置３２の制御部は、ＬＥＤ３１，３１の点灯後、第１の所定時間が経過した場合にＬＥＤ３１，３１を消灯させ、ＬＥＤ３１，３１の消灯後、第２の所定時間が経過した場合にＬＥＤ３１，３１を点灯させることを繰り返す。即ち、ＬＥＤ３１，３１は、周期的に第１の所定時間発光する。
第１の所定時間及び第２の所定時間は、互いに同じでもよく、互いに異なっていてもよい。
【００５６】
図２に示すカバー４は、図１に示すカバー部材５１及び後述する図３に示すカバー部材５２に分割可能である。
カバー部材５１は、カバー４の周方向の半分（例えば前半分）を構成する。カバー部材５１は、各挿通孔４１の周縁部の半分、貫通孔４２の周縁部の半分、及び各保持片４３の半分（挿通孔４３１の周縁部の半分）を有する。基体４４は、カバー部材５１の内面に設けられている。
カバー部材５１の内部には、複数のネジ穴５１１，５１１，…が設けられている。ネジ穴５１１は、基体４４、又はカバー部材５１の内面に突設されたボスに形成されている。
【００５７】
図３は、カバー部材５２を示す斜視図である。
カバー部材５２は、カバー４の周方向の残り半分（例えば後半分）を構成する。カバー部材５２は、各挿通孔４１の周縁部の残り半分、貫通孔４２の周縁部の残り半分、及び各保持片４３の残り半分（挿通孔４３１の周縁部の残り半分）を有する。
カバー部材５２には、カバー部材５１（図２参照）のネジ穴５１１，５１１，…に対応するようにして、貫通孔５２１，５２１，…が設けられている。
図１及び図３に示すカバー部材５１，５２は、持ち手１１を前後方向から非接触状態で挟み、且つストラップ１２を前後方向から挟むようにして配され、カバー部材５２がカバー部材５１にネジ留めされることによって、図２に示すように一体化されている。
【００５８】
つり革１においては、ＬＥＤ３１，３１が発光することによって、カバー４の内部にて、持ち手１１の上半分に向けて紫外線が照射される。紫外線（特に紫外線Ｃ波）は、生物のＤＮＡに作用してＤＮＡを不活化させる作用を有しており、あらゆる種類の病原菌、ウイルスを短時間で有効に死滅させることができる。故に、持ち手１１の紫外線が照射された部分を効果的に除菌することができる。
ＬＥＤ３１，３１が発する紫外線を用いて除菌が行なわれるので、除菌装置３の保守管理を頻繁に行なう必要がない。即ち、長期的に除菌効果を維持することができる。
【００５９】
使用者は、持ち手１１の下部を把持する。使用者の手は、持ち手１１の下部に接触する。
使用者は、持ち手１１を把持する前に、持ち手１１を回転させる。持ち手１１の回転に伴い、持ち手１１のカバー４に覆われていない部分がカバー４の内部に移動してカバー４に覆われ、持ち手１１のカバーに覆われている部分がカバー４の外部に移動してカバー４から露出する。持ち手１１を半回転させた場合、持ち手１１の上半分が持ち手１１の下半分となり、持ち手１１の下半分が持ち手の上半分となる。
【００６０】
ＬＥＤ３１，３１が、持ち手１１の上半分に向けて紫外線を照射するので、持ち手１１の、使用者の手に接触する部分を効果的に除菌することができる。この結果、使用者は持ち手１１の除菌された部分を把持することができる。使用者が把持する部分は、使用者が能動的にカバー４から引き出した除菌済みの部分なので、使用者の安心感が高まる。
ＬＥＤ３１，３１は定期的に点消灯される。即ち、紫外線が長時間照射されないので、紫外線による持ち手１１の劣化を抑制することができる。
【００６１】
なお、カバー４の外面に、つり革１の使用方法が記載されていてもよい。また、持ち手１１の表面に、持ち手１１の回転量の目安が記されていてもよい。
カバー４は半球状に限定されず、例えば箱状でもよい。
持ち手１１は、ストラップ１２に支持される構成に限定されない。例えば、持ち手１１は、基端部が保持パイプ２１に取り付けられているレバー又はアーム等の先端部に支持されてもよい。
つり革１又は除菌装置３に電源（乾電池、充電池、又は太陽電池等）が備えられていてもよい。
【００６２】
ＬＥＤ３１の個数は１つでもよく、３つ以上でもよい。
カバー４の内部に、持ち手１１の上半分の外周に光軸が向けられたＬＥＤ３１が更に配されていてもよい。この場合、持ち手１１の内外周に直接的に紫外線が照射されるので、カバー４の内面が光反射性を有している必要はない。
【００６３】
以下に、除菌装置３を備えていないつり革１に除菌装置３を取り付ける手順を説明する。
作業者は、カバー部材５１、カバー部材５２、及び複数本のネジ５３，５３，…を準備する（図１及び図３参照）。
次に、作業者は、挿通孔４１，４１が下向きに開口するようにして、カバー部材５１を持ち手１１及びストラップ１２の一側（例えば前側）に配する。作業者は、給電線３１１を、ストラップ１２の内側を通してカバー部材５１の上側に引き出す（図１参照）。
【００６４】
また、作業者は、挿通孔４１，４１が下向きに開口するようにして、カバー部材５２を持ち手１１及びストラップ１２の他側（例えば後側）に配し、カバー部材５１に対向させる。
【００６５】
図１に示すように、カバー部材５１のカバー部材５２に接する端面には、複数の凹部５１２，５１２，…が設けられている。図３に示すように、カバー部材５２のカバー部材５１に接する端面には、複数の凸部５２２，５２２，…が設けられている。作業者が、凸部５２２，５２２，…を凹部５１２，５１２，…に嵌め入れることによって、カバー部材５１とカバー部材５２とを互いに位置合わせすることができる。このとき、カバー部材５１，５２は、持ち手１１を非接触状態で挟み、且つストラップ１２を貫通孔４２の周縁部及び保持片４３，４３で挟む。持ち手１１は挿通孔４１，４１，４３１に遊挿される。
【００６６】
次に、作業者は、カバー部材５２の外面側からカバー部材５２の貫通孔５２１，５２１，…にネジ５３，５３，…を挿入し、カバー部材５１のネジ穴５１１，５１１，…に螺合させる。この結果、図２に示すように、カバー部材５１とカバー部材５２とが一体化され、カバー４が形成されると共にストラップ１２に取り付けられる。持ち手１１の上半分は、持ち手１１が周方向に回転可能なようにして、カバー４に覆われる。ＬＥＤ３１，３１夫々の光軸は、持ち手１１の上半分の内周に向けられる（図１参照）。
【００６７】
作業者は、給電線３１１を、ストラップ１２の内側を通して門型部材２２まで引き出す。作業者は、制御装置３２を門型部材２２に取り付け、保持パイプ２１に配されている給電線を介して制御装置３２を車載電源に接続する。
【００６８】
除菌装置３を取り外す場合、作業者は、まず、制御装置３２と保持パイプ２１に配されている給電線との接続を解除する。また、制御装置３２を門型部材２２から取り外す。次に、作業者は、ネジ５３，５３，…を全て除去する。最後に、作業者は、持ち手１１及びストラップ１２からカバー部材５１，５２を取り去る。
【００６９】
以上のような除菌装置３の取り付け方法によれば、例えば、従来のつり革に除菌装置３を取り付けることによって、本実施の形態に係るつり革１を得ることができる。また、ストラップ１２にカバー４を容易に取り付けることができる。
【００７０】
実施の形態  ２．
本実施の形態のつり革１、除菌装置３、及び除菌装置３の取り付け方法は、実施の形態１のつり革１、除菌装置３、及び除菌装置３の取り付け方法と略同様である。本実施の形態のつり革１、除菌装置３、及び除菌装置３の取り付け方法は、実施の形態１のつり革１、除菌装置３、及び除菌装置３の取り付け方法と略同様の作用効果を奏する。以下では、実施の形態１との差異について説明し、その他、実施の形態１と同一の構成要素には同一の符号を付してそれらの説明を省略する。
【００７１】
図４は、実施の形態２に係る除菌装置３を示す斜視図である。
カバー４の外面には、矩形枠状の掲示部４５が突設されている。掲示部４５は、例えばカバー４の周壁の下部に配されており、目立ち易い。
掲示部４５の側面には図示しないスリットが設けられている。このスリットから掲示部４５の内側に、商品又は興業等の広告が記載された矩形状のカード４５１が挿入される。掲示部４５は、挿入されたカード４５１を保持し、額縁のように機能してカード４５１を目立たせる。
広告主は、掲示部４５を利用して広告を行なうことができる。
【００７２】
なお、掲示部４５は矩形枠状に限定されない。例えば、掲示部４５は浅い凹状をなし、底面に広告が記載されたシールが貼り付けられてもよい。又は、掲示部４５は低い凸状をなし、先端面に広告が印刷されてもよい。また、カバー４が掲示部４５を兼ねており、カバー４の外面に直接的にシールが貼り付けられたり広告が印刷されたりしてもよい。
【００７３】
図５は、除菌装置３の他の構成を示す斜視図である。
カバー４の外面には、パネル状の表示部４６が設けられている。表示部４６は、一面に表示画面４６１を有する。表示画面４６１には映像が表示される。表示部４６は、例えばカバー４の周壁の下部に配されており、目立ち易い。
【００７４】
表示部４６は、例えば液晶ディスプレイである。制御装置３２は、記憶部、ＬＣＤドライバ、及び制御部（各不図示）を備える。記憶部には、表示部４６が表示すべき映像の情報が記憶してある。ＬＣＤドライバは、表示部４６を駆動する。制御部は、記憶部から読み出した映像の情報をＬＣＤドライバに与えることによって、表示部４６に映像を表示させる。
【００７５】
表示部４６には、例えばつり革１の使用方法を説明するための映像が表示される。
あるいは、表示部４６には、商品又は興業等の広告のための映像が表示される。この場合、つり革１をデジタルサイネージとして利用することができる。
【００７６】
図６は、除菌装置３の更に他の構成を示す斜視図である。
カバー４は、猫の頭部を模した形状を有する。カバー４の外面には、猫の耳のような２つの突起４７，４７が設けられていると共に、猫の目鼻の絵が描かれている。このような除菌装置３は、つり革１の意匠性を向上させることができる。
カバー４の形状は猫の頭部を模した形状に限定されるものではないが、所定のキャラクターの形状であることが望ましい。
【００７７】
本実施の形態におけるつり革１によれば、掲示部４５の利用、表示部４６の利用、又はカバー４の形状の指定を条件に、広告主を募ることができる。
なお、つり革１は、持ち手１１が把持されたか否かを検出する把持検出部、及びスピーカを更に備えていてもよい。持ち手１１が把持されたことを把持検出部が検出した場合、スピーカから所定の音声が出力される。スピーカから出力される音声は、例えばコマーシャルソング又はサウンドロゴである。カバー４がキャラクターの形状を有している場合、スピーカからキャラクターの声が出力されてもよい。
【００７８】
実施の形態  ３．
以下では、実施の形態１，２との差異について説明し、その他、実施の形態１，２と同一の構成要素には同一の符号を付してそれらの説明を省略する。
【００７９】
図７は、実施の形態３に係るつり革１を示す斜視図である。
図８は、つり革１を示す断面図である。
つり革１は、持ち手１１、ストラップ１２、及びカバー４を備える。
ただし、持ち手１１はベルトである。カバー４は矩形箱状をなし、持ち手１１の上半分を覆っている。
【００８０】
ストラップ１２は帯である。ストラップ１２の長手方向の中央部は、保持パイプ２１に巻き掛けられている。ストラップ１２は、保持パイプ２１から垂れ下がる。ストラップ１２の下端部（ストラップ１２の長手方向の両端部）は、カバー４の天壁の中央部に固定されている。
カバー４の天壁には、貫通孔４２が設けられている。貫通孔４２は、ストラップ１２によって目隠しされている。
【００８１】
カバー４は、２本のローラ６１，６１（支持部）夫々を回転可能に支持している。ローラ６１，６１は、夫々の回転軸部が前後に向くようにして、左右方向に互いに離隔配置されている。
カバー４は、複数本のローラ６２，６２，…夫々を回転可能に支持している。ローラ６２，６２，…は、夫々の回転軸部が前後に向くようにして、左右方向に互いに離隔配置されている。ローラ６２，６２，…の左右方向の配置位置は、ローラ６１，６１の間である。ローラ６２，６２，…の上下方向の配置位置は、ローラ６１，６１よりも下側である。
【００８２】
持ち手１１は、左側のローラ６１の左側及び右側のローラ６１の右側夫々から垂れ下がるようにして、ローラ６１，６１に巻き掛けられている。各ローラ６１の周面には持ち手１１の内周面が接触する。持ち手１１はローラ６１，６１に巻き掛けられているので、周方向に回転可能である。
持ち手１１の上半分における周方向の中央部は、持ち手１１の外周面がローラ６２，６２，…夫々の周面に接触するようにして、ローラ６２，６２，…に亘る。
垂れ下がった持ち手１１は、カバー４の挿通孔４１，４１に遊挿されている。持ち手１１の下半分は、カバー４の外部に露出している。
【００８３】
基体４４は、ローラ６２，６２，…よりも下側に配されている。ローラ６２，６２，…は、持ち手１１の回転に従動すると共に、持ち手１１の上半分の一部をＬＥＤ３１，３１に接近させる。ＬＥＤ３１，３１夫々の光軸は、持ち手１１のローラ６２，６２，…に亘る部分の内面に向けられている。この結果、ＬＥＤ３１，３１が発した紫外線は、持ち手１１の上部の内周に直接的に照射される。ＬＥＤ３１，３１が発した紫外線の一部はカバー４の内面にて反射し、持ち手１１の外周に照射される。
ＬＥＤ３１，３１が、持ち手１１の上部に向けて紫外線を照射するので、持ち手１１の、使用者の手に接触する部分を効果的に除菌することができる。
【００８４】
つり革１は報知部３３を備える。報知部３３は、例えばカバー４の前壁に設けられている窓と、この窓に連通するようにしてカバー４の内部に設けられている図示しない小部屋とを有する。この小部屋には、赤色の可視光線を発するＬＥＤ及び緑色の可視光線を発するＬＥＤ（各不図示）が配されている。報知部３３のＬＥＤが発した光は、窓を通ってカバー４の外部に放射される。故に、報知部３３は、赤色又は緑色に発光して見える。
【００８５】
図９は、つり革１の制御系の構成を示すブロック図である。
つり革１は、ＬＥＤ３１，３１のＬＥＤドライバ３１２、制御部３２１、報知部３３の駆動回路３３１、及び回転検出部６３を備える。ＬＥＤドライバ３１２、制御部３２１、及び駆動回路３３１は、制御装置３２に備えられている。
ＬＥＤドライバ３１２は、所定のオン信号が入力された場合にＬＥＤ３１，３１への給電を開始する。この結果、ＬＥＤ３１，３１は点灯される。オン信号の入力が途絶えたとき、ＬＥＤドライバ３１２はＬＥＤ３１，３１への給電を終了する。この結果、ＬＥＤ３１，３１は消灯される。
【００８６】
駆動回路３３１は、赤色を示す制御信号が入力された場合に、報知部３３の赤色のＬＥＤを点灯させて緑色のＬＥＤを消灯させる。緑色を示す制御信号が入力された場合、駆動回路３３１は、報知部３３の緑色のＬＥＤを点灯させて赤色のＬＥＤを消灯させる。
制御部３２１はＣＰＵを有し、コンピュータプログラムに従って、所定の処理を実行する。
回転検出部６３は、一方のローラ６１の回転軸に設けられており、ローラ６１が回転したか否かを検出する。回転検出部６３の検出結果は、制御部３２１に与えられる。
【００８７】
図１０は、つり革１で実行される除菌処理の手順を示すフローチャートである。
制御部３２１は、回転検出部６３の検出結果に基づいて、持ち手１１が回転したか否かを判定する（Ｓ１１）。
持ち手１１が回転していない場合（Ｓ１１でＮＯ）、持ち手１１はＳ１１の処理を再び実行する。
【００８８】
持ち手１１が回転した場合（Ｓ１１でＹＥＳ）、制御部３２１は、ＬＥＤドライバ３１２へのオン信号の出力を開始することによって、ＬＥＤ３１，３１を点灯させる（Ｓ１２）。また、制御部３２１は、赤色を示す制御信号の駆動回路３３１への出力を開始することによって、報知部３３を赤色に点灯させる（Ｓ１３）。更に、制御部３２１は経過時間の計時を開始する（Ｓ１４）。
次に、制御部３２１は、所定時間が経過したか否かを判定する（Ｓ１５）。
【００８９】
所定時間が経過した場合（Ｓ１５でＹＥＳ）、制御部３２１は、ＬＥＤドライバ３１２へのオン信号の入力を終了することによって、ＬＥＤ３１，３１を消灯させる（Ｓ１６）。また、制御部３２１は、緑色を示す制御信号の駆動回路３３１への出力を開始することによって、報知部３３を緑色に点灯させる（Ｓ１７）。更に、制御部３２１は、除菌処理を終了する。
除菌処理の終了後、制御部３２１は再びＳ１１から除菌処理を開始する。
【００９０】
所定時間が経過していない場合（Ｓ１５でＮＯ）、制御部３２１は、回転検出部６３の検出結果に基づいて、持ち手１１が回転したか否かを判定する（Ｓ１８）。
持ち手１１が回転していない場合（Ｓ１８でＮＯ）、持ち手１１は処理をＳ１５へ戻す。
持ち手１１が回転した場合（Ｓ１８でＹＥＳ）、持ち手１１は処理をＳ１４へ戻す。
【００９１】
ところで、例えば２５４ｎｍの紫外線で大腸菌を殺傷率９９．９％で除菌するために必要な紫外線照射量は５４００μＷ・sec/cm2 、インフルエンザウィルスを殺傷率９９．９％で除菌するために必要な紫外線照射量は３４００μＷ・sec/cm2 と言われている。紫外線を照射し続ける所定時間の長さは、ＬＥＤ３１，３１から照射される紫外線の強度、及び除菌すべき面積から求められることが望ましい。
【００９２】
赤色の報知部３３は、持ち手１１の除菌中であることを示す。緑色の報知部３３は、持ち手１１が除菌済みであることを示す。即ち、報知部３３は、持ち手１１の除菌状況を報知する。
使用者は、報知部３３が緑色であるつり革１の持ち手１１を回転させることによって、持ち手１１の、除菌が完了した部分を把持することができる。
【００９３】
なお、報知部３３に替えて、表示部４６がカバー４の外面に設けられていてもよい。この場合、制御部３２１は、Ｓ１３の処理で、持ち手１１を除菌中であることを示す映像を表示部４６に表示させる。また、Ｓ１７の処理で、持ち手１１が除菌済みであることを示す映像を表示部４６に表示させる。
【００９４】
以上のようなつり革１によれば、持ち手１１が回転した場合にＬＥＤ３１，３１が点灯される。即ち、持ち手１１のカバー４に覆われていない部分がカバー４に覆われた場合に、持ち手１１の除菌を開始することができる。
ＬＥＤ３１，３１の点灯後、所定時間が経過した場合にＬＥＤ３１，３１が消灯されるので、持ち手１１が紫外線に長時間曝される虞がない。
【００９５】
なお、カバー４の側壁に、点検口と点検口の蓋とが設けられていてもよい。例えばつり革１の保守点検の際に蓋が開けられて、点検口を通してカバー４の内部の保守点検が行なわれる。
カバー４は矩形箱状に限定されない。
また、カバー４は、ストラップ１２の下端部に固定される構成に限定されない。例えば、カバー４は、基端部が保持パイプ２１に取り付けられているレバー又はアーム等の先端部に固定されてもよい。
【００９６】
実施の形態  ４．
本実施の形態のつり革１は、実施の形態３のつり革１と略同様である。本実施の形態のつり革１は、実施の形態３のつり革１と略同様の作用効果を奏する。以下では、実施の形態３との差異について説明し、その他、実施の形態３と同一の構成要素には同一の符号を付してそれらの説明を省略する。
【００９７】
図１１は、実施の形態４に係るつり革１を示す断面図である。
つり革１は駆動ローラ６４を備える。
駆動ローラ６４は一方のローラ６１に平行に配される。持ち手１１は、駆動ローラ６４の周面と一方のローラ６１の周面との間に挟持される。駆動ローラ６４の回転に伴い、持ち手１１が周方向に回転し、ローラ６１，６１及びローラ６２，６２，…が従動する。
【００９８】
図１２は、つり革１の制御系の構成を示すブロック図である。
つり革１はモータ６５を備える。
モータ６５の出力軸は、直接的に、又は歯車を介在して、駆動ローラ６４の回転軸に接続されている。モータ６５は駆動ローラ６４を回転駆動する。モータ６５の本体は、カバー４に固定されている。
モータ６５のモータドライバ６５１は、制御装置３２に備えられている。モータドライバ６５１には所定の制御信号が入力される。モータドライバ６５１は、入力された制御信号に基づいて、モータ６５を駆動させる。
【００９９】
つり革１は、実施の形態３の回転検出部６３に替えて、把持検出部６６を備える。
把持検出部６６は、持ち手１１が把持されたか否かを検出する。把持検出部６６の検出結果は、制御部３２１に与えられる。
【０１００】
把持検出部６６は、例えば保持パイプ２１とストラップ１２の保持パイプ２１に巻き掛けられている部分との間に配されたマイクロスイッチである。
通常、把持検出部６６はオフである。持ち手１１が把持されることによって、ストラップ１２は引き下げられる。引き下げられたストラップ１２は、把持検出部６６をオンにする。持ち手１１から手が離れた場合、把持検出部６６はストラップ１２を元の位置に押し上げ、オフになる。つまり、把持検出部６６がオンである場合、持ち手１１は把持されており、把持検出部６６がオフである場合、持ち手１１は把持されていない。
なお、把持検出部６６はストラップ１２と保持パイプ２１との間に配される構成に限定されない。また、把持検出部６６はマイクロスイッチに限定されない。
【０１０１】
図１３は、つり革１で実行される除菌処理の手順を示すフローチャートである。
制御部３２１は、回転済みフラグがセットされているか否かを判定する（Ｓ３１）。回転済みフラグは、後述する回転処理にて、持ち手１１が所定量回転した場合にセットされる。
回転済みフラグがリセットされている場合（Ｓ３１でＮＯ）、制御部３２１は、Ｓ３１の処理を再び実行する。
回転済みフラグがセットされている場合（Ｓ３１でＹＥＳ）、制御部３２１は、回転済みフラグをリセットし（Ｓ３２）、ＬＥＤ３１，３１を点灯させる（Ｓ３３）。
【０１０２】
次いで、制御部３２１は経過時間の計時を開始し（Ｓ３４）、所定時間が経過したか否かを判定する（Ｓ３５）。
所定時間が経過していない場合（Ｓ３５でＮＯ）、制御部３２１は、Ｓ３５の処理を再び実行する。
所定時間が経過した場合（Ｓ３５でＹＥＳ）、制御部３２１は、ＬＥＤ３１，３１を消灯させ（Ｓ３６）、除菌済みフラグをセットして（Ｓ３７）、除菌処理を終了する。
除菌処理の終了後、制御部３２１は再びＳ３１から除菌処理を開始する。
図１３に示す除菌処理を実行する制御部３２１は、実施の形態における素子制御部として機能する。
【０１０３】
図１４及び図１５は、つり革１で実行される回転処理の手順を示すフローチャートである。
図１４に示すように、制御部３２１は、持ち手１１が把持されたか否かを判定する（Ｓ５１）。制御部３２１は、把持検出部６６がオフからオンに切り替わった場合に、持ち手１１が把持されたと判定する。
持ち手１１が把持されていない場合（Ｓ５１でＮＯ）、制御部３２１は、Ｓ５１の処理を再び実行する。
【０１０４】
持ち手１１が把持された場合（Ｓ５１でＹＥＳ）、制御部３２１は、持ち手１１から手が離れたか否かを判定する（Ｓ５２）。制御部３２１は、把持検出部６６がオンからオフに切り替わった場合に、持ち手１１から手が離れたと判定する。
持ち手１１がまだ把持されている場合（Ｓ５２でＮＯ）、制御部３２１は、Ｓ５２の処理を再び実行する。
【０１０５】
持ち手１１から手が離れた場合（Ｓ５２でＹＥＳ）、制御部３２１は、報知部３３を赤色に点灯させ（Ｓ５３）、除菌済みフラグがセットされているか否かを判定する（Ｓ５４）。
除菌済みフラグがセットされている場合（Ｓ５４でＹＥＳ）、制御部３２１は、除菌済みフラグをリセットする（Ｓ５５）。
【０１０６】
次いで、図１５に示すように、制御部３２１は、モータドライバ６５１へ制御信号を出力することによって、持ち手１１を回転させる（Ｓ７１）。
Ｓ７１の処理で出力される制御信号は、持ち手１１を所定量回転させるためのものである。持ち手１１が所定量回転した（例えば１／２回転した）場合、持ち手１１の除菌されていない部分がローラ６２，６２，…に亘る。
【０１０７】
Ｓ７１の処理の終了後、制御部３２１は、持ち手１１の回転が終了したか否かを判定する（Ｓ７２）。
持ち手１１の回転が終了した場合（Ｓ７２でＹＥＳ）、制御部３２１は回転済みフラグをセットし（Ｓ７３）、報知部３３を緑色に点灯させ（Ｓ７４）、回転処理を終了する。
回転処理の終了後、制御部３２１は再びＳ５１から回転処理を開始する。
【０１０８】
ところで、図１３のＳ３７にて除菌済みフラグがセットされる前に、即ち除菌が完了する前に、持ち手１１が把持される可能性がある。
図１４に示すように、除菌済みフラグがリセットされている場合（Ｓ５４でＮＯ）、制御部３２１は、持ち手１１が把持されたか否かを判定する（Ｓ５６）。
持ち手１１が把持されていない場合（Ｓ５６でＮＯ）、制御部３２１は、処理をＳ５４へ戻す。
【０１０９】
持ち手１１が把持された場合（Ｓ５６でＹＥＳ）、制御部３２１は、持ち手１１から手が離れたか否かを判定する（Ｓ５７）。
持ち手１１がまだ把持されている場合（Ｓ５７でＮＯ）、制御部３２１は、Ｓ５７の処理を再び実行する。
持ち手１１から手が離れた場合（Ｓ５７でＹＥＳ）、制御部３２１は、処理をＳ５４へ戻す。
【０１１０】
図１５に示すＳ７１にて、持ち手１１は回転を開始する。持ち手１１の回転が終了する前に、持ち手１１が把持される可能性がある。
持ち手１１が回転中である場合（Ｓ７２でＮＯ）、制御部３２１は、持ち手１１が把持されたか否かを判定する（Ｓ７５）。
持ち手１１が把持されていない場合（Ｓ７５でＮＯ）、制御部３２１は、処理をＳ７２へ戻す。
【０１１１】
持ち手１１が把持された場合（Ｓ７５でＹＥＳ）、制御部３２１は、モータドライバ６５１を介して駆動ローラ６４の回転を停止させることによって、持ち手１１の回転を中止させる（Ｓ７６）。
次いで、制御部３２１は、回転済みフラグをセットし（Ｓ７７）、処理をＳ５７へ移す。
図１２に示す回転処理を実行する制御部３２１は、実施の形態における回転制御部として機能する。
【０１１２】
以上のようなつり革１によれば、持ち手１１が把持され、持ち手１１から手が離れたときに、報知部３３が赤色になる。赤色の報知部３３を視認した使用者は、持ち手１１の下部が除菌済みでないことを知ることができる。
また、持ち手１１がモータ６５に駆動されて自動的に回転する。故に、使用者が持ち手１１を回転させる必要がないので、使用者の利便性を向上させることができる。
【０１１３】
持ち手１１が所定量回転した場合にＬＥＤ３１，３１が点灯される。即ち、持ち手１１が回転することによって持ち手１１のカバー４に覆われていない部分の所定範囲がカバー４に覆われた場合に、持ち手１１の除菌を開始することができる。
ＬＥＤ３１，３１の点灯後、所定時間が経過した場合にＬＥＤ３１，３１が消灯されるので、持ち手１１が紫外線に長時間曝される虞がない。
【０１１４】
持ち手１１は、持ち手１１の上部の除菌が完了しており、且つ、持ち手１１が把持されていない場合に、所定量回転する。持ち手１１の回転中に持ち手１１が把持された場合、持ち手１１の回転は中止される。そして、持ち手１１の回転が中止された時点の持ち手１１の上部が除菌される。
持ち手１１が所定量回転し終えた場合、報知部３３が緑色になる。緑色の報知部３３を視認した使用者は、持ち手１１の下部が除菌済みであることを知ることができる。
【０１１５】
図１６は、つり革１の制御系の他の構成を示すブロック図である。
カバー４の外面には、表示装置４８（表示部）が装着される図示しない装着部が設けられている。またカバー４の内面における装着部に対応する部分には、図示しない非接触給電部が設けられている。
制御装置３２は、通信部３２２を備える。
表示装置４８は、制御部４８１及び通信部４８２を備える。
【０１１６】
カバー４に設けられている装着部に表示装置４８が装着された場合、表示装置４８は、カバー４に設けられている非接触給電部から非接触状態で受電する。また、制御装置３２の制御部３２１と表示装置４８の制御部４８１との間で、通信部３２２，４８２を介した無線通信が確立する。
【０１１７】
表示装置４８はパネル状をなし、一面に表示画面４８３が設けられている。表示装置４８は記憶部４８４を更に備える。記憶部４８４には、表示画面４８３に表示すべき映像が記憶してある。
【０１１８】
制御装置３２の制御部３２１は、図１４に示すＳ５３の処理で、除菌中であることを示す信号を、通信部３２２を介して表示装置４８へ送信する。また、制御部３２１は、図１５に示すＳ５３の処理で、除菌済みであることを示す信号を表示装置４８へ送信する。
【０１１９】
通信部４８２を介して、除菌中であることを示す信号を受信した制御部４８１は、持ち手１１を除菌中であることを示す映像を記憶部４８４から読み出して、表示画面４８３に表示させる（報知部３３を赤色に点灯させることに相当）。また、除菌済みであることを示す信号を受信した制御部４８１は、持ち手１１が除菌済みであることを示す映像を記憶部４８４から読み出して、表示画面４８３に表示させる（報知部３３を緑色に点灯させることに相当）。
【０１２０】
ところで、使用者が持ち手１１を把持している間、使用者にとって持ち手１１が除菌済みであるか否かの情報は無用のものである。
そこで、制御装置３２の制御部３２１は、持ち手１１が把持された場合（図１４及び図１５に示すＳ５１、Ｓ５６、又はＳ７５でＹＥＳの場合）、持ち手１１が把持されたことを示す信号を表示装置４８へ送信する。また、制御部３２１は、持ち手１１から手が離れた場合（図１４及び図１５に示すＳ５２又はＳ５７でＹＥＳの場合）、持ち手１１から手が離れたことを示す信号を表示装置４８へ送信する。
【０１２１】
持ち手１１が把持されたことを示す信号を受信した制御部４８１は、例えば商品又は興業等の広告のための映像を記憶部４８４から読み出して、表示画面４８３に表示させる。使用者は、持ち手１１を把持している間、表示画面４８３に表示される広告を視認する。
持ち手１１から手が離れたことを示す信号を受信した制御部４８１は、持ち手１１の除菌中であることを示す映像を記憶部４８４から読み出して、表示画面４８３に表示させる。
【０１２２】
表示装置４８は受信部４８５を更に備える。制御部４８１は、例えば車外に設置されている図示しない送信装置が送信した映像を、受信部４８５を介して無線で受信し、記憶部４８４に記憶させる。この結果、車内の複数のつり革１，１，…が備える表示装置４８，４８，…に対し、表示すべき映像を外部から配信することができる。
なお、前述の送信装置が送信した映像を、車内に設置されている図示しない通信装置が受信し、この通信装置がつり革１，１，…の表示装置４８，４８，…へ映像を配信してもよい。
【０１２３】
表示装置４８が受信部４８５を備えない場合、カバー４に装着されている表示装置４８を、記憶部４８４に記憶されている映像が異なる表示装置４８に交換してもよい。
表示装置４８は、有線で受電してもよい。表示装置４８は、制御装置３２と有線で通信してもよい。
【０１２４】
なお、制御部３２１は、持ち手１１を定期的に回転させてもよい。
実施の形態１のつり革１のように、持ち手１１がストラップ１２に支持される構成であっても、持ち手１１が自動的に回転するように構成されてもよい。
【０１２５】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
各実施の形態に開示されている構成要件（技術的特徴）はお互いに組み合わせ可能であり、組み合わせによって新しい技術的特徴を形成することができる。
【符号の説明】
【０１２６】
１      つり革
１１    持ち手（ベルト）
１２    ストラップ（支持部材）
２１    保持パイプ（保持具）
３      除菌装置
３１    ＬＥＤ（発光素子）
３２１  制御部（回転制御部，素子制御部）
３３    報知部
４      カバー
４５    掲示部
４６    表示部
４８    表示装置（表示部）
４８１  制御部
５１，５２  カバー部材
６１，６２  ローラ（支持部）
６３    回転検出部
６４    駆動ローラ
６５    モータ
【図１】
2020045027.tif 000003
【図２】
2020045027.tif 000004
【図３】
2020045027.tif 000005
【図４】
2020045027.tif 000006
【図５】
2020045027.tif 000007
【図６】
2020045027.tif 000008
【図７】
2020045027.tif 000009
【図８】
2020045027.tif 000010
【図９】
2020045027.tif 000011
【図１０】
2020045027.tif 000012
【図１１】
2020045027.tif 000013
【図１２】
2020045027.tif 000014
【図１３】
2020045027.tif 000015
【図１４】
2020045027.tif 000016
【図１５】
2020045027.tif 000017
【図１６】
2020045027.tif 000018
【手続補正書】
【提出日】令和1年9月30日(2019.9.30)
【手続補正１】
【補正対象書類名】明細書
【補正対象項目名】０００７
【補正方法】変更
【補正の内容】
【０００７】
本実施の形態に係るつり革は、環状の持ち手と、該持ち手が周方向に回転可能なように前記持ち手を支持している支持部材と、前記持ち手が周方向に回転可能なように前記持ち手の前記周方向の一部を覆う遮光性のカバーと、該カバーの内部にて、前記持ち手の前記カバーに覆われている部分に向けて、前記持ち手を除菌する紫外線を照射する発光素子と、前記持ち手が回転したか否かを検出する回転検出部と、該回転検出部の検出結果が、前記持ち手が回転したことを示す場合に、前記発光素子を点灯させ、所定時間が経過した場合に前記発光素子を消灯させる制御部とを備えることを特徴とする。
本実施の形態に係るつり革は、環状の持ち手と、該持ち手が周方向に回転可能なように前記持ち手を支持している支持部材と、前記持ち手が周方向に回転可能なように前記持ち手の前記周方向の一部を覆う遮光性のカバーと、該カバーの内部にて、前記持ち手の前記カバーに覆われている部分に向けて、前記持ち手を除菌する紫外線を照射する発光素子と、前記持ち手を回転させる駆動ローラと、該駆動ローラを回転駆動するモータと、前記持ち手が所定量回転するよう前記モータを制御する回転制御部と、前記持ち手が所定量回転した場合に前記発光素子を点灯させ、所定時間が経過した場合に前記発光素子を消灯させる素子制御部とを備えることを特徴とする。
本実施の形態に係るつり革は、環状の持ち手と、該持ち手が周方向に回転可能なように前記持ち手を支持している支持部材と、前記持ち手が周方向に回転可能なように前記持ち手の前記周方向の一部を覆う遮光性のカバーと、該カバーの内部にて、前記持ち手の前記カバーに覆われている部分に向けて、前記持ち手を除菌する紫外線を照射する発光素子とを備え、前記カバーは、前記持ち手を非接触状態で挟み、且つ前記支持部材を挟むようにして一体化される２つのカバー部材を備えることを特徴とする。
【手続補正２】
【補正対象書類名】明細書
【補正対象項目名】０００９
【補正方法】変更
【補正の内容】
【０００９】
本実施の形態に係るつり革は、環状の持ち手と、該持ち手が周方向に回転可能なようにして、前記持ち手を支持している支持部を有し、前記持ち手の前記周方向の一部を覆う遮光性のカバーと、該カバーを支持している支持部材と、前記カバーの内部にて、前記持ち手の前記カバーに覆われている部分に向けて、前記持ち手を除菌する紫外線を照射する発光素子とを備え、前記支持部材は無端状をなすストラップであり、保持具から垂下し、前記支持部材の下端部が前記カバーの上部に固定されており、前記支持部は、前記カバーの内部にて前記カバーに回転可能に支持されたローラであり、前記持ち手は、前記支持部から垂れ下がるようにして前記支持部に巻き掛けられたベルトであり、前記カバーは、前記持ち手の上部を覆い、前記発光素子は前記持ち手の前記上部に向けて前記紫外線を照射することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１８
【補正方法】変更
【補正の内容】
【００１８】
本実施の形態に係るつり革は、環状の持ち手と、該持ち手が周方向に回転可能なようにして、前記持ち手を支持している支持部を有し、前記持ち手の前記周方向の一部を覆う遮光性のカバーと、該カバーを支持している支持部材と、前記カバーの内部にて、前記持ち手の前記カバーに覆われている部分に向けて、前記持ち手を除菌する紫外線を照射する発光素子と、前記持ち手が回転したか否かを検出する回転検出部と、該回転検出部の検出結果が、前記持ち手が回転したことを示す場合に、前記発光素子を点灯させ、所定時間が経過した場合に前記発光素子を消灯させる制御部とを備えることを特徴とする。
【手続補正５】
【補正対象書類名】明細書
【補正対象項目名】００２０
【補正方法】変更
【補正の内容】
【００２０】
本実施の形態に係るつり革は、環状の持ち手と、該持ち手が周方向に回転可能なようにして、前記持ち手を支持している支持部を有し、前記持ち手の前記周方向の一部を覆う遮光性のカバーと、該カバーを支持している支持部材と、前記カバーの内部にて、前記持ち手の前記カバーに覆われている部分に向けて、前記持ち手を除菌する紫外線を照射する発光素子と、前記持ち手を回転させる駆動ローラと、該駆動ローラを回転駆動するモータと、前記持ち手が所定量回転するよう前記モータを制御する回転制御部と、前記持ち手が所定量回転した場合に前記発光素子を点灯させ、所定時間が経過した場合に前記発光素子を消灯させる素子制御部とを備えることを特徴とする。
【手続補正６】
【補正対象書類名】明細書
【補正対象項目名】００２８
【補正方法】変更
【補正の内容】
【００２８】
本実施の形態に係るつり革は、前記カバーは所定のキャラクターの形状を有することを特徴とする。
本実施の形態に係るつり革は、環状の持ち手と、該持ち手が周方向に回転可能なように前記持ち手を支持している支持部材と、前記持ち手が周方向に回転可能なように前記持ち手の前記周方向の一部を覆う遮光性のカバーと、該カバーの内部にて、前記持ち手の前記カバーに覆われている部分に向けて、前記持ち手を除菌する紫外線を照射する発光素子とを備え、該発光素子の光軸は、前記持ち手の内周に向けられていることを特徴とする。
本実施の形態に係るつり革は、環状の持ち手と、該持ち手が周方向に回転可能なようにして、前記持ち手を支持している支持部を有し、前記持ち手の前記周方向の一部を覆う遮光性のカバーと、該カバーを支持している支持部材と、前記カバーの内部にて、前記持ち手の前記カバーに覆われている部分に向けて、前記持ち手を除菌する紫外線を照射する発光素子とを備え、該発光素子の光軸は、前記持ち手の内周に向けられていることを特徴とする。
本実施の形態に係るつり革は、環状の持ち手と、該持ち手が周方向に回転可能なように前記持ち手を支持している支持部材と、前記持ち手が周方向に回転可能なように前記持ち手の前記周方向の一部を覆う遮光性のカバーと、該カバーの内部にて、前記持ち手の前記カバーに覆われている部分に向けて、前記持ち手を除菌する紫外線を照射する発光素子とを備え、前記支持部材は無端状をなすストラップであり、前記発光素子に給電するための給電線が、前記支持部材の内側を通って配線されていることを特徴とする。
本実施の形態に係るつり革は、環状の持ち手と、該持ち手が周方向に回転可能なようにして、前記持ち手を支持している支持部を有し、前記持ち手の前記周方向の一部を覆う遮光性のカバーと、該カバーを支持している支持部材と、前記カバーの内部にて、前記持ち手の前記カバーに覆われている部分に向けて、前記持ち手を除菌する紫外線を照射する発光素子とを備え、前記支持部材は無端状をなすストラップであり、前記発光素子に給電するための給電線が、前記支持部材の内側を通って配線されていることを特徴とする。
【手続補正７】
【補正対象書類名】明細書
【補正対象項目名】００３０
【補正方法】変更
【補正の内容】
【００３０】
本実施の形態に係る除菌装置は、環状の持ち手と、該持ち手が周方向に回転可能なように前記持ち手を支持している支持部材とを備えるつり革の前記持ち手が周方向に回転可能なように前記持ち手の前記周方向の一部を覆う遮光性のカバーと、該カバーの内部にて、前記持ち手の前記カバーに覆われている部分に向けて紫外線を照射する発光素子と、前記持ち手が回転したか否かを検出する回転検出部と、該回転検出部の検出結果が、前記持ち手が回転したことを示す場合に、前記発光素子を点灯させ、所定時間が経過した場合に前記発光素子を消灯させる制御部とを備えることを特徴とする。
本実施の形態に係る除菌装置は、環状の持ち手と、該持ち手が周方向に回転可能なように前記持ち手を支持している支持部材とを備えるつり革の前記持ち手が周方向に回転可能なように前記持ち手の前記周方向の一部を覆う遮光性のカバーと、該カバーの内部にて、前記持ち手の前記カバーに覆われている部分に向けて紫外線を照射する発光素子と、前記持ち手を回転させる駆動ローラと、該駆動ローラを回転駆動するモータと、前記持ち手が所定量回転するよう前記モータを制御する回転制御部と、前記持ち手が所定量回転した場合に前記発光素子を点灯させ、所定時間が経過した場合に前記発光素子を消灯させる素子制御部とを備えることを特徴とする。
本実施の形態に係る除菌装置は、環状の持ち手と、該持ち手が周方向に回転可能なように前記持ち手を支持している支持部材とを備えるつり革の前記持ち手が周方向に回転可能なように前記持ち手の前記周方向の一部を覆う遮光性のカバーと、該カバーの内部にて、前記持ち手の前記カバーに覆われている部分に向けて紫外線を照射する発光素子とを備え、前記カバーは、前記持ち手を非接触状態で挟み、且つ前記支持部材を挟むようにして一体化される２つのカバー部材を備えることを特徴とする。
本実施の形態に係る除菌装置は、環状の持ち手と、該持ち手が周方向に回転可能なように前記持ち手を支持している支持部材とを備えるつり革の前記持ち手が周方向に回転可能なように前記持ち手の前記周方向の一部を覆う遮光性のカバーと、該カバーの内部にて、前記持ち手の前記カバーに覆われている部分に向けて紫外線を照射する発光素子とを備え、該発光素子の光軸は、前記持ち手の内周に向けられることを特徴とする。
本実施の形態に係る除菌装置は、環状の持ち手と、該持ち手が周方向に回転可能なように前記持ち手を支持している支持部材とを備えるつり革の前記持ち手が周方向に回転可能なように前記持ち手の前記周方向の一部を覆う遮光性のカバーと、該カバーの内部にて、前記持ち手の前記カバーに覆われている部分に向けて紫外線を照射する発光素子とを備え、前記支持部材は無端状をなすストラップであり、前記発光素子に給電するための給電線が、前記支持部材の内側を通って配線されることを特徴とする。
【手続補正８】
【補正対象書類名】明細書
【補正対象項目名】００３４
【補正方法】削除
【補正の内容】
【手続補正９】
【補正対象書類名】明細書
【補正対象項目名】００３６
【補正方法】変更
【補正の内容】
【００３６】
本実施の形態に係る除菌装置の取り付け方法は、環状の持ち手と、該持ち手が周方向に回転可能なように前記持ち手を支持している支持部材とを備えるつり革に、前記持ち手を除菌する除菌装置を取り付ける方法であって、前記除菌装置は、遮光性のカバーと、該カバーの内部にて紫外線を発する発光素子とを備え、前記持ち手が周方向に回転可能なように前記持ち手の前記周方向の一部を覆い、該一部に前記紫外線が照射されるようにして、前記カバーを前記支持部材に取り付け、前記カバーは２つのカバー部材を備え、前記カバーを前記支持部材に取り付ける場合、前記２つのカバー部材で前記持ち手を非接触状態で挟み、且つ前記支持部材を挟むようにして、前記２つのカバー部材を一体化させることを特徴とする。
本実施の形態に係る除菌装置の取り付け方法は、環状の持ち手と、該持ち手が周方向に回転可能なように前記持ち手を支持している支持部材とを備えるつり革に、前記持ち手を除菌する除菌装置を取り付ける方法であって、前記除菌装置は、遮光性のカバーと、該カバーの内部にて紫外線を発する発光素子とを備え、前記持ち手が周方向に回転可能なように前記持ち手の前記周方向の一部を覆い、前記発光素子の光軸が前記持ち手の内周に向き、前記一部に前記紫外線が照射されるようにして、前記カバーを前記支持部材に取り付けることを特徴とする。
本実施の形態に係る除菌装置の取り付け方法は、環状の持ち手と、該持ち手が周方向に回転可能なように前記持ち手を支持している支持部材とを備えるつり革に、前記持ち手を除菌する除菌装置を取り付ける方法であって、前記除菌装置は、遮光性のカバーと、該カバーの内部にて紫外線を発する発光素子とを備え、前記支持部材は無端状をなすストラップであり、前記持ち手が周方向に回転可能なように前記持ち手の前記周方向の一部を覆い、該一部に前記紫外線が照射されるようにして、前記カバーを前記支持部材に取り付けると共に、前記発光素子に給電するための給電線を、前記支持部材の内側を通して配線することを特徴とする。
【手続補正１０】
【補正対象書類名】明細書
【補正対象項目名】００３８
【補正方法】削除
【補正の内容】
【手続補正１１】
【補正対象書類名】特許請求の範囲
【補正対象項目名】全文
【補正方法】変更
【補正の内容】
【特許請求の範囲】
【請求項１】
環状の持ち手と、
該持ち手が周方向に回転可能なように前記持ち手を支持している支持部材と、
前記持ち手が周方向に回転可能なように前記持ち手の前記周方向の一部を覆う遮光性のカバーと、
該カバーの内部にて、前記持ち手の前記カバーに覆われている部分に向けて、前記持ち手を除菌する紫外線を照射する発光素子と、
前記持ち手が回転したか否かを検出する回転検出部と、
該回転検出部の検出結果が、前記持ち手が回転したことを示す場合に、前記発光素子を点灯させ、所定時間が経過した場合に前記発光素子を消灯させる制御部と
を備えることを特徴とするつり革。
【請求項２】
環状の持ち手と、
該持ち手が周方向に回転可能なように前記持ち手を支持している支持部材と、
前記持ち手が周方向に回転可能なように前記持ち手の前記周方向の一部を覆う遮光性のカバーと、
該カバーの内部にて、前記持ち手の前記カバーに覆われている部分に向けて、前記持ち手を除菌する紫外線を照射する発光素子と、
前記持ち手を回転させる駆動ローラと、
該駆動ローラを回転駆動するモータと、
前記持ち手が所定量回転するよう前記モータを制御する回転制御部と、
前記持ち手が所定量回転した場合に前記発光素子を点灯させ、所定時間が経過した場合に前記発光素子を消灯させる素子制御部と
を備えることを特徴とするつり革。
【請求項３】
環状の持ち手と、
該持ち手が周方向に回転可能なように前記持ち手を支持している支持部材と、
前記持ち手が周方向に回転可能なように前記持ち手の前記周方向の一部を覆う遮光性のカバーと、
該カバーの内部にて、前記持ち手の前記カバーに覆われている部分に向けて、前記持ち手を除菌する紫外線を照射する発光素子と
を備え、
前記カバーは、前記持ち手を非接触状態で挟み、且つ前記支持部材を挟むようにして一体化される２つのカバー部材を備えることを特徴とするつり革。
【請求項４】
前記支持部材は無端状をなすストラップであり、保持具から垂下し、前記支持部材の下端部が前記持ち手の上部に巻き掛けられており、
前記カバーは、前記持ち手の前記上部及び前記支持部材の前記下端部を覆い、
前記発光素子は前記持ち手の前記上部に向けて前記紫外線を照射することを特徴とする請求項１から３の何れか一項に記載のつり革。
【請求項５】
環状の持ち手と、
該持ち手が周方向に回転可能なようにして、前記持ち手を支持している支持部を有し、前記持ち手の前記周方向の一部を覆う遮光性のカバーと、
該カバーを支持している支持部材と、
前記カバーの内部にて、前記持ち手の前記カバーに覆われている部分に向けて、前記持ち手を除菌する紫外線を照射する発光素子と
を備え、
前記支持部材は無端状をなすストラップであり、保持具から垂下し、前記支持部材の下端部が前記カバーの上部に固定されており、
前記支持部は、前記カバーの内部にて前記カバーに回転可能に支持されたローラであり、
前記持ち手は、前記支持部から垂れ下がるようにして前記支持部に巻き掛けられたベルトであり、
前記カバーは、前記持ち手の上部を覆い、
前記発光素子は前記持ち手の前記上部に向けて前記紫外線を照射することを特徴とするつり革。
【請求項６】
前記発光素子は、周期的に所定時間発光することを特徴とする請求項３又は５に記載のつり革。
【請求項７】
環状の持ち手と、
該持ち手が周方向に回転可能なようにして、前記持ち手を支持している支持部を有し、前記持ち手の前記周方向の一部を覆う遮光性のカバーと、
該カバーを支持している支持部材と、
前記カバーの内部にて、前記持ち手の前記カバーに覆われている部分に向けて、前記持ち手を除菌する紫外線を照射する発光素子と、
前記持ち手が回転したか否かを検出する回転検出部と、
該回転検出部の検出結果が、前記持ち手が回転したことを示す場合に、前記発光素子を点灯させ、所定時間が経過した場合に前記発光素子を消灯させる制御部と
を備えることを特徴とするつり革。
【請求項８】
環状の持ち手と、
該持ち手が周方向に回転可能なようにして、前記持ち手を支持している支持部を有し、前記持ち手の前記周方向の一部を覆う遮光性のカバーと、
該カバーを支持している支持部材と、
前記カバーの内部にて、前記持ち手の前記カバーに覆われている部分に向けて、前記持ち手を除菌する紫外線を照射する発光素子と、
前記持ち手を回転させる駆動ローラと、
該駆動ローラを回転駆動するモータと、
前記持ち手が所定量回転するよう前記モータを制御する回転制御部と、
前記持ち手が所定量回転した場合に前記発光素子を点灯させ、所定時間が経過した場合に前記発光素子を消灯させる素子制御部と
を備えることを特徴とするつり革。
【請求項９】
前記持ち手の除菌状況を報知する報知部を更に備えることを特徴とする請求項１から８の何れか一項に記載のつり革。
【請求項１０】
前記カバーの外面に、広告を掲示するための掲示部が設けられていることを特徴とする請求項１から９の何れか一項に記載のつり革。
【請求項１１】
前記カバーの外面に、映像を表示する表示部が設けられていることを特徴とする請求項１から１０の何れか一項に記載のつり革。
【請求項１２】
前記カバーは所定のキャラクターの形状を有することを特徴とする請求項１から１１の何れか一項に記載のつり革。
【請求項１３】
環状の持ち手と、
該持ち手が周方向に回転可能なように前記持ち手を支持している支持部材と、
前記持ち手が周方向に回転可能なように前記持ち手の前記周方向の一部を覆う遮光性のカバーと、
該カバーの内部にて、前記持ち手の前記カバーに覆われている部分に向けて、前記持ち手を除菌する紫外線を照射する発光素子と
を備え、
該発光素子の光軸は、前記持ち手の内周に向けられていることを特徴とするつり革。
【請求項１４】
環状の持ち手と、
該持ち手が周方向に回転可能なようにして、前記持ち手を支持している支持部を有し、前記持ち手の前記周方向の一部を覆う遮光性のカバーと、
該カバーを支持している支持部材と、
前記カバーの内部にて、前記持ち手の前記カバーに覆われている部分に向けて、前記持ち手を除菌する紫外線を照射する発光素子と
を備え、
該発光素子の光軸は、前記持ち手の内周に向けられていることを特徴とするつり革。
【請求項１５】
環状の持ち手と、
該持ち手が周方向に回転可能なように前記持ち手を支持している支持部材と、
前記持ち手が周方向に回転可能なように前記持ち手の前記周方向の一部を覆う遮光性のカバーと、
該カバーの内部にて、前記持ち手の前記カバーに覆われている部分に向けて、前記持ち手を除菌する紫外線を照射する発光素子と
を備え、
前記支持部材は無端状をなすストラップであり、
前記発光素子に給電するための給電線が、前記支持部材の内側を通って配線されていることを特徴とするつり革。
【請求項１６】
環状の持ち手と、
該持ち手が周方向に回転可能なようにして、前記持ち手を支持している支持部を有し、前記持ち手の前記周方向の一部を覆う遮光性のカバーと、
該カバーを支持している支持部材と、
前記カバーの内部にて、前記持ち手の前記カバーに覆われている部分に向けて、前記持ち手を除菌する紫外線を照射する発光素子と
を備え、
前記支持部材は無端状をなすストラップであり、
前記発光素子に給電するための給電線が、前記支持部材の内側を通って配線されていることを特徴とするつり革。
【請求項１７】
環状の持ち手と、該持ち手が周方向に回転可能なように前記持ち手を支持している支持部材とを備えるつり革の前記持ち手が周方向に回転可能なように前記持ち手の前記周方向の一部を覆う遮光性のカバーと、
該カバーの内部にて、前記持ち手の前記カバーに覆われている部分に向けて紫外線を照射する発光素子と、
前記持ち手が回転したか否かを検出する回転検出部と、
該回転検出部の検出結果が、前記持ち手が回転したことを示す場合に、前記発光素子を点灯させ、所定時間が経過した場合に前記発光素子を消灯させる制御部と
を備えることを特徴とする除菌装置。
【請求項１８】
環状の持ち手と、該持ち手が周方向に回転可能なように前記持ち手を支持している支持部材とを備えるつり革の前記持ち手が周方向に回転可能なように前記持ち手の前記周方向の一部を覆う遮光性のカバーと、
該カバーの内部にて、前記持ち手の前記カバーに覆われている部分に向けて紫外線を照射する発光素子と、
前記持ち手を回転させる駆動ローラと、
該駆動ローラを回転駆動するモータと、
前記持ち手が所定量回転するよう前記モータを制御する回転制御部と、
前記持ち手が所定量回転した場合に前記発光素子を点灯させ、所定時間が経過した場合に前記発光素子を消灯させる素子制御部と
を備えることを特徴とする除菌装置。
【請求項１９】
環状の持ち手と、該持ち手が周方向に回転可能なように前記持ち手を支持している支持部材とを備えるつり革の前記持ち手が周方向に回転可能なように前記持ち手の前記周方向の一部を覆う遮光性のカバーと、
該カバーの内部にて、前記持ち手の前記カバーに覆われている部分に向けて紫外線を照射する発光素子と
を備え、
前記カバーは、前記持ち手を非接触状態で挟み、且つ前記支持部材を挟むようにして一体化される２つのカバー部材を備えることを特徴とする除菌装置。
【請求項２０】
環状の持ち手と、該持ち手が周方向に回転可能なように前記持ち手を支持している支持部材とを備えるつり革の前記持ち手が周方向に回転可能なように前記持ち手の前記周方向の一部を覆う遮光性のカバーと、
該カバーの内部にて、前記持ち手の前記カバーに覆われている部分に向けて紫外線を照射する発光素子と
を備え、
該発光素子の光軸は、前記持ち手の内周に向けられることを特徴とする除菌装置。
【請求項２１】
環状の持ち手と、該持ち手が周方向に回転可能なように前記持ち手を支持している支持部材とを備えるつり革の前記持ち手が周方向に回転可能なように前記持ち手の前記周方向の一部を覆う遮光性のカバーと、
該カバーの内部にて、前記持ち手の前記カバーに覆われている部分に向けて紫外線を照射する発光素子と
を備え、
前記支持部材は無端状をなすストラップであり、
前記発光素子に給電するための給電線が、前記支持部材の内側を通って配線されることを特徴とする除菌装置。
【請求項２２】
環状の持ち手と、
該持ち手が周方向に回転可能なように前記持ち手を支持している支持部材と
を備えるつり革に、前記持ち手を除菌する除菌装置を取り付ける方法であって、
前記除菌装置は、
遮光性のカバーと、
該カバーの内部にて紫外線を発する発光素子と
を備え、
前記持ち手が周方向に回転可能なように前記持ち手の前記周方向の一部を覆い、該一部に前記紫外線が照射されるようにして、前記カバーを前記支持部材に取り付け、
前記カバーは２つのカバー部材を備え、
前記カバーを前記支持部材に取り付ける場合、前記２つのカバー部材で前記持ち手を非接触状態で挟み、且つ前記支持部材を挟むようにして、前記２つのカバー部材を一体化させることを特徴とする除菌装置の取り付け方法。
【請求項２３】
環状の持ち手と、
該持ち手が周方向に回転可能なように前記持ち手を支持している支持部材と
を備えるつり革に、前記持ち手を除菌する除菌装置を取り付ける方法であって、
前記除菌装置は、
遮光性のカバーと、
該カバーの内部にて紫外線を発する発光素子と
を備え、
前記持ち手が周方向に回転可能なように前記持ち手の前記周方向の一部を覆い、前記発光素子の光軸が前記持ち手の内周に向き、前記一部に前記紫外線が照射されるようにして、前記カバーを前記支持部材に取り付けることを特徴とする除菌装置の取り付け方法。
【請求項２４】
環状の持ち手と、
該持ち手が周方向に回転可能なように前記持ち手を支持している支持部材と
を備えるつり革に、前記持ち手を除菌する除菌装置を取り付ける方法であって、
前記除菌装置は、
遮光性のカバーと、
該カバーの内部にて紫外線を発する発光素子と
を備え、
前記支持部材は無端状をなすストラップであり、
前記持ち手が周方向に回転可能なように前記持ち手の前記周方向の一部を覆い、該一部に前記紫外線が照射されるようにして、前記カバーを前記支持部材に取り付けると共に、前記発光素子に給電するための給電線を、前記支持部材の内側を通して配線することを特徴とする除菌装置の取り付け方法。